(57)【要約】      （修正有）【課題】焼網の棒材に嵌め込む操作が容易な焼網掃除具を提供する。【解決手段】焼網掃除具１は、細長の板状に形成された掃除具本体１０を備えている。掃除具本体１０の長手方向又は短手方向に延びる外縁１１，１２には、切欠凹部２０〜２２，３０が形成されている。切欠凹部２０〜２２，３０の内周縁と外縁１１，１２とが直接的に連続している。切欠凹部２０〜２２，３０に焼網の棒材を嵌め込み、切欠凹部２０〜２２，３０の内周縁を棒材の延び方向に摺擦することで、棒材に付着したコゲ等の付着物を除去する。【選択図】図１
0003182326.tif 000002
【実用新案登録請求の範囲】
【請求項１】
棒材を有する焼網を掃除するための焼網掃除具であって、
細長の板状に形成された掃除具本体を備え、前記掃除具本体の長手方向又は短手方向に延びる外縁には、前記棒材が該棒材の延び方向に摺擦可能に嵌め込まれる切欠凹部が形成され、かつ前記切欠凹部の内周縁と前記外縁とが直接的に連続していることを特徴とする焼網掃除具。
【請求項２】
前記切欠凹部が前記外縁に向かって拡開していることを特徴とする請求項１に記載の焼網掃除具。
【請求項３】
前記切欠凹部が、前記外縁から前記外縁と交差する方向に延びる案内溝部と、前記案内溝部の奥側の端部から前記外縁に沿って延びる嵌込溝部とを有することを特徴とする請求項１又は２に記載の焼網掃除具。
【請求項４】
前記案内溝部が、前記嵌込溝部の延び方向の中間部に連なっていることを特徴とする請求項３に記載の焼網掃除具。
【請求項５】
前記切欠凹部が、前記中間部から前記案内溝部とは反対側に延びる嵌込溝部分を更に有していることを特徴とする請求項４に記載の焼網掃除具。
【請求項６】
前記切欠凹部が前記短手方向に延びる外縁に設けられていることを特徴とする請求項３〜５の何れか１項に記載の焼網掃除具。
【請求項７】
前記掃除具本体の幅が、前記複数の棒材の隣接するものどうし間の隙間の幅よりも小さいことを特徴とする請求項１〜６の何れか１項に記載の焼網掃除具。
【考案の詳細な説明】
【技術分野】
【０００１】
本考案は、魚などの食材を焼く焼網のための掃除具に関し、特に焼網の棒材に付着したコゲ等の付着物を除去するのに好適な焼網掃除具に関する。
【背景技術】
【０００２】
一般に、魚などを焼く焼網は複数の棒材を有している。これら棒材の一部は互いに間隔を置いて平行に並べられており、他の棒材が上記一部の棒材と交差している。この焼網を用いて魚などを焼くと、焼網の棒材にコゲ等の炭化物からなる付着物が付きやすい。この付着物は、棒材に強固にこびり付いて、取り除くのが厄介なことが多い。
特許文献１には、上記付着物を除去するための掃除具が記載されている。この掃除具は、柄の先端に正方形の板が設けられている。板の中央部には回転軸が設けられており、板が柄に対して回転可能になっている。上記回転軸は柄の延び方向に対して直交しており、上記板は柄の延び方向に沿っている。板の４つの角には、一対の突起が二股状に形成され、これら突起の間に擦り溝と呼ばれる凹部が形成されている。この一対の突起で棒材を両側から挟むようにして、上記凹部を焼網の棒材に差し入れる。そして、棒材の延び方向に沿って掃除具を動かしながら、凹部の縁で棒材から付着物を擦り取る。
【先行技術文献】
【特許文献】
【０００３】
【特許文献１】実開昭５６−４４６５１号公報
【考案の概要】
【考案が解決しようとする課題】
【０００４】
上掲特許文献１の掃除具は、一対の突起どうし間の凹部を棒材に正確に位置決めしたうえで棒材に差し入れる必要があり、凹部を棒材に嵌め込む操作が容易でない。位置決めが不正確であると、突起の先端が棒材に突き当たったり、突起の外側の縁が棒材に引っ掛かったりしやすい。
また、正方形の板の寸法が焼網の棒材と棒材との間の間隔に対して大きく、かつ該板の中央部には回転軸が設けられ、しかもこの回転軸に柄の先端が連結されているため、上記板を焼網の棒材と棒材との間を通して向こう側（作業者に面している側とは反対側）に回り込ませることはできない。したがって、焼網の棒材の表側つまり作業者に面している側（手前側）についた付着物を除去することはできても、棒材の裏側つまり向こう側についた付着物を除去するのは容易でない。棒材の裏側を掃除するには、例えば焼網を裏表ひっくり返す等して向きを変えたり、或いは掃除具を焼網の向こう側に回り込ませたりしたうえで、同じ棒材に対して擦り取り作業をもう一度行う必要がある。しかし、魚を焼いた直後の焼網は熱いためにひっくり返すのが容易でない。焼網が冷めるのを待っていると、付着物が固まって除去しにくくなってしまう。
本考案は、上記事情に鑑み、焼網の棒材に嵌め込む操作が容易な掃除具を提供することを第１の目的とする。また、焼網の向きを変える等しなくても、棒材の表側の付着物はもちろん、裏側の付着物をも簡単に除去できる掃除具を提供することを第２の目的とする。
【課題を解決するための手段】
【０００５】
上記課題を解決するために、本考案は、棒材を有する焼網を掃除するための焼網掃除具であって、細長の板状に形成された掃除具本体を備え、前記掃除具本体の長手方向又は短手方向に延びる外縁には、前記棒材が該棒材の延び方向に摺擦可能に嵌め込まれる切欠凹部が形成され、かつ前記切欠凹部の内周縁と前記外縁とが直接的に連続していることを特徴とする。要するに、前記切欠凹部の内周縁と前記外縁との間に、嵌め込み操作の障害となる突起等の障害部は設けられていない。これによって、上記第１の目的を達成できる。すなわち、焼網の棒材を突起等の障害部に引っ掛けることなく切欠凹部に容易に嵌め込むことができる。初めから、棒材と切欠凹部がちょうど一致するように位置合わせする必要はなく、焼網掃除具の外縁を棒材に当ててから焼網掃除具をスライドさせることで、棒材を切欠凹部に嵌めることもできる。切欠凹部に棒材を嵌め込んだら、焼網掃除具を棒材の延び方向にスライドさせることで、切欠凹部の内周縁を棒材に摺擦させて、棒材に付いたコゲ等の付着物を剥ぎ取ることができる。
【０００６】
前記切欠凹部が前記外縁に向かって拡開していることが好ましい。これによって、切欠凹部における外縁への開口部が広くなり、焼網の棒材を切欠凹部に一層嵌め込み易くなる。
【０００７】
前記切欠凹部が、前記外縁から前記外縁と交差する方向に延びる案内溝部と、前記案内溝部の奥側の端部から前記外縁に沿って延びる嵌込溝部とを有することが好ましい。この焼網掃除具によって焼網を掃除する際は、焼網の棒材を案内溝部から嵌込溝部へ案内して、嵌込溝部の内周縁を棒材に摺擦させて、棒材の付着物を剥ぎ取る。このとき、嵌込溝部の一端側の内周縁を棒材の表側（１の周側部）の周面に摺擦させることで、棒材の表側（上記１の周側部）の付着物を除去できる。また、嵌込溝部の他端側の内周縁を棒材の裏側（反対側）の周面に摺擦させることで、棒材の裏側（反対側）の付着物を除去できる。したがって、焼網をひっくり返す等して向きを変えなくても、棒材を１つの切欠凹部に嵌め込んだままで、該棒材の表裏両側の付着物を除去することができる。焼網をひっくり返す必要が無いため、焼網が冷めるまで待たなくてもよく、魚を焼いた直後の、焼網が熱い段階でも掃除を行なうことができる。そうすることで、コゲ等の付着物が固まって棒材にこびりつく前に、上記付着物を棒材から簡単に剥ぎ取ることができる。これによって、上記第２の目的を達成できる。
【０００８】
前記案内溝部が、前記嵌込溝部の延び方向の中間部に連なっていることが好ましい。要するに、前記切欠凹部がＴ字状になっていることが好ましい。これによって、１つの切欠凹部に焼網の棒材を嵌め込んだ状態で、嵌込溝部における案内溝部よりも一側の溝部分によって焼網の棒材の表側（１の周側部）の付着物を除去でき、嵌込溝部における案内溝部よりも他側の溝部分によって前記棒材の裏側（反対側）の付着物を除去できる。
【０００９】
前記切欠凹部が、前記中間部から前記案内溝部とは反対側に延びる嵌込溝部分を更に有していてもよい。要するに、前記切欠凹部が十字状になっていてもよい。これによって、１つの切欠凹部に焼網の棒材を嵌め込んだ状態で、上記棒材の付着物を三方向から除去することができる。
【００１０】
前記Ｔ字状又は十字状の切欠凹部が、前記短手方向に延びる外縁に設けられていることが好ましい。これによって、焼網を水平に置いた状態で、焼網が掃除具本体の摺擦時に前後左右に動かないように規制さえすれば、焼網を上から押さえておく必要はない。
なお、前記Ｔ字状又は十字状の切欠凹部が、前記長手方向に延びる外縁に設けられていてもよい。
【００１１】
前記掃除具本体の幅が、前記複数の棒材の隣接するものどうし間の隙間の幅よりも小さいことが好ましい。これによって、掃除具本体を上記隙間に差し入れて棒材を掃除することができる。
【考案の効果】
【００１２】
本考案によれば、焼網の棒材に焼網掃除具の切欠凹部を容易に嵌め込むことができ、棒材の掃除を簡単に行なうことができる。
【図面の簡単な説明】
【００１３】
【図１】図１（ａ）は、本考案の第１実施形態に係る焼網掃除具の正面図である。図１（ｂ）は、上記焼網掃除具の斜視図である。
【図２】図２は、上記焼網掃除具の掃除対象の焼網の一例を示す平面図である。
【図３】図３（ａ）は、上記焼網掃除具を持って上記焼網に対して移動させることで、上記焼網掃除具のＴ字状切欠凹部に上記焼網の棒材を嵌める操作の一例を示す正面図である。図３（ｂ）は、上記Ｔ字状切欠凹部の１の嵌込溝部分にて上記棒材の表側部分を掃除する状態を示す正面図である。図３（ｃ）は、上記Ｔ字状切欠凹部のもう１つの嵌込溝部分にて上記棒材の裏側部分を掃除する状態を示す正面図である。
【図４】図４は、上記焼網掃除具の半円状切欠凹部にて上記棒材を掃除する状態を示す正面図である。
【図５】図５は、上記焼網掃除具の、内周縁がＵ字状の切欠凹部にて上記棒材を掃除する状態を示す正面図である。
【図６】図６は、上記焼網掃除具の短辺側外縁の切欠凹部にて上記棒材を掃除する状態を示す正面図である。
【図７】図７は、本考案の第２実施形態に係る焼網掃除具の正面図である。
【図８】図８（ａ）は、上記第２実施形態に係る焼網掃除具のＴ字状切欠凹部の１の嵌込溝部分にて上記棒材の１の周側部分を掃除する状態を示す正面図である。図３（ｂ）は、上記Ｔ字状切欠凹部のもう１つの嵌込溝部分にて上記棒材の反対側の周側部分を掃除する状態を示す正面図である。
【図９】図９は、本考案の第３実施形態に係る焼網掃除具の正面図である。
【図１０】図１０（ａ）は、上記第３実施形態に係る焼網掃除具の十字状切欠凹部の１の嵌込溝部分にて上記棒材の１の周側部分を掃除する状態を示す正面図である。図１０（ｂ）は、上記十字状切欠凹部の他の１つの嵌込溝部分にて上記棒材の反対側の周側部分を掃除する状態を示す正面図である。図１０（ｃ）は、上記十字状切欠凹部の中央の嵌込溝部分にて上記棒材の上側部分を掃除する状態を示す正面図である。
【考案を実施するための形態】
【００１４】
以下、本考案の実施形態を図面にしたがって説明する。
図２に示すように、本考案に係る焼網掃除具１の掃除対象は、魚などの食材を焼くための焼網９である。焼網９は、枠材９０と、複数の棒材９１を備えている。枠材９０は、棒材９１よりも少し太めの棒材を四角形の枠形状に形成することによって構成されている。各棒材９１は、一定の太さを有して直線状に延び、その両端部が枠材９０に一体に連結されている。一般的に、棒材９１の直径は２ｍｍ〜２．５ｍｍ程度である。複数の棒材９１は、互いに所要の間隔を置いて平行に並べられている。隣接する２つの棒材９１，９１どうしの間に隙間９４が形成されている。一般に、隙間９４の幅は１５ｍｍ〜２０ｍｍ程度である。
【００１５】
図１（ａ）及び同図（ｂ）に示すように、第１実施形態の焼網掃除具１は、掃除具本体１０を備えている。掃除具本体１０の材質は、アルミニウム等の金属であるが、これに限定されるものではなく、２００℃程度の温度に耐え得る耐熱性があり、かつ棒材９１及び枠材９０より軟らかいものであれば、硬質樹脂等であってもよい。掃除具本体１０は、細長の板状になっている。詳細には、掃除具本体１０は、一対の長辺側外縁１１（長手方向に延びる外縁）と、一対の短辺側外縁１２（短手方向に延びる外縁）とを有し、細長い四角形状になっている。長辺側外縁１１は、掃除具本体１０の長手方向（図１において左右）に延びている。短辺側外縁１２は、長辺側外縁１１に対して直交（交差）し、掃除具本体１０の短手方向（図１において上下）に延びている。各外縁１１，１２は、それぞれ直線状になっている。長辺側外縁１１の長さは、短辺側外縁１２よりも数倍〜十数倍程度大きい。短辺側外縁１２の長さすなわち掃除具本体１０の幅は、上記焼網９の隙間９４の幅よりも小さい。ここでは、例えば掃除具本体１０の長さは５０ｍｍ〜１００ｍｍ程度であり、掃除具本体１０の幅は１０ｍｍ〜２０ｍｍ程度であり、掃除具本体１０の厚みは１ｍｍ〜３ｍｍ程度であるが、本考案がこれに限定されるものではない。
【００１６】
掃除具本体１０の外縁１１，１２には切欠凹部２０〜２２，３０が形成されている。ここでは、掃除具本体１０の２つの長辺側外縁１１のうち第１の長辺側外縁１１Ａに切欠凹部２０及び切欠凹部３０が２つずつ形成され、第２の長辺側外縁１１Ｂに２つの切欠凹部２１が形成されている。また、各短辺側外縁１２に切欠凹部２２が１つずつ形成されている。切欠凹部２０〜２２，３０は、それぞれ対応するサイズの焼網９の棒材９１を該棒材９１２の延び方向に摺擦可能に嵌め込むことができる大きさになっている。つまり、上記嵌め込んだ状態で、切欠凹部２０〜２２，３０の内周縁を棒材９１の周面に摺擦させながら、掃除具本体１０を棒材９１の延び方向に相対的にスライドさせることができる。
【００１７】
切欠凹部２０は、長辺側外縁１１Ａから該長辺側外縁１１Ａと直交（交差）する方向に凹んでいる。切欠凹部２０の内周縁は、平面視で半円形状になっている。切欠凹部２０の内周縁と長辺側外縁１１Ａとが直接的に連なっている。つまり、長辺側外縁１１Ａと切欠凹部２０との間には、掃除具１の棒材９１への嵌め込み操作の障害となる突起等の障害部が設けられていない。切欠凹部２０の内周縁と長辺側外縁１１Ａとの角は面取りされている。これによって、切欠凹部２０が、長辺側外縁１１Ａに向かって漸次拡開（拡幅）しながら長辺側外縁１１Ａに達して開口している。２つの切欠凹部２０，２０は、長辺側外縁１１Ａの長手方向の両側に互いに離れて配置されている。これら切欠凹部２０，２０は互いに大きさが異なっている。
【００１８】
切欠凹部２１は、長辺側外縁１１Ｂから該長辺側外縁１１Ｂと直交（交差）する方向に凹んでいる。切欠凹部２１の内周縁は、平面視でＵ字形状になっている。切欠凹部２１の内周縁と長辺側外縁１１Ｂとが直接的に連なっている。つまり、長辺側外縁１１Ｂと切欠凹部２１との間に突起等の障害部は設けられていない。切欠凹部２１の内周縁と長辺側外縁１１Ｂとの角は面取りされている。これによって、切欠凹部２１が、長辺側外縁１１Ｂに向かって漸次拡開（拡幅）しながら長辺側外縁１１Ｂに達して開口している。２つの切欠凹部２１，２１は、長辺側外縁１１Ｂの長手方向の両側に互いに離れて配置されている。これら切欠凹部２１，２１は互いに大きさが異なっている。また、切欠凹部２１は、切欠凹部２０よりも小さい。具体的には、切欠凹部２１の幅（長辺側外縁１１Ｂの長手方向に沿う寸法）は、切欠凹部２０の幅（長辺側外縁１１Ａの長手方向に沿う寸法よりも小さい。
【００１９】
切欠凹部２２は、各短辺側外縁１２から該短辺側外縁１２と直交（交差）する方向に凹んでいる。切欠凹部２２の内周縁は、平面視でＵ字形状になっている。切欠凹部２２の内周縁と短辺側外縁１２とが直接的に連なっている。つまり、短辺側外縁１２と切欠凹部２２との間に突起等の障害部は設けられていない。切欠凹部２２の内周縁と短辺側外縁１２との角は面取りされている。これによって、切欠凹部２２が、短辺側外縁１２に向かって漸次拡開（拡幅）しながら短辺側外縁１２に達して開口している。
【００２０】
２つの切欠凹部２２，２２は、互いに大きさが異なっている。また、切欠凹部２２は、切欠凹部２０よりも小さく、かつ切欠凹部２１とは大きさが異なっている。切欠凹部２０〜２２のうち相対的に大きいものの幅は、太棒仕様の焼網９における棒材９１の直径に対応している。切欠凹部２０〜２２のうち相対的に小さいものの幅は、細棒仕様の焼網９における棒材９１の直径に対応している
【００２１】
切欠凹部３０は、Ｔ字状になっている。すなわち、切欠凹部３０は、案内溝部３１と、嵌込溝部３２を有している。案内溝部３１は、長辺側外縁１１Ａから該長辺側外縁１１Ａと直交（交差）する方向に延びている。案内溝部３１の内周縁（ひいてはＴ字状切欠凹部３０の内周縁）と長辺側外縁１１Ａとが直接的に連なっている。つまり、長辺側外縁１１ＡとＴ字状切欠凹部３０との間に突起等の障害は設けられていない。案内溝部３１の内周縁と長辺側外縁１１Ａとの角は、面取りされている。これによって、案内溝部３１が、長辺側外縁１１Ａに向かって漸次拡開（拡幅）しながら長辺側外縁１１Ａに達して開口している。
【００２２】
嵌込溝部３２は、案内溝部３１と交差して長辺側外縁１１Ａに沿って延びている。嵌込溝部３２の延び方向の中間部に、案内溝部３１の奥側（長辺側外縁１１Ａとは反対側）の端部が連なっている。すなわち、嵌込溝部３２は、一対の嵌込溝部分３２ａ，３２ｂを有している。第１の嵌込溝部分３２ａは、案内溝部３１から掃除具本体１０の長手方向の内側へ延びている。第２の嵌込溝部分３２ｂは、案内溝部３１から掃除具本体１０の長手方向の外側へ延びている。各嵌込溝部分３２ａ，３２ｂの奥端の内周縁は、平面視で円弧状になっている。
【００２３】
２つのＴ字状切欠凹部３０，３０は、長辺側外縁１１Ａの長手方向の両側に互いに離れて配置されている。これらＴ字状切欠凹部３０，３０は互いに大きさが異なっている。つまり、１のＴ字状切欠凹部３０の案内溝部３１は、他のＴ字状切欠凹部３０の案内溝部３１よりも幅広であり、かつ上記１のＴ字状切欠凹部３０の嵌込溝部３２は、上記他のＴ字状切欠凹部３０の嵌込溝部３２よりも幅広である。大きいＴ字状切欠凹部３０の溝幅は、太棒仕様の焼網９における棒材９１の直径と対応している。小さいＴ字状切欠凹部３０の溝幅は、細棒仕様の焼網９における棒材９１の直径と対応している。
【００２４】
さらに、掃除具本体１０の中央部にはスロット１３が形成されている。スロット１３は、掃除具本体１０の長手方向に延びている。
【００２５】
上記構成の焼網掃除具１の使用方法の一例を説明する。
図２に示すように、焼網掃除具１は、例えば魚を焼いた後の焼網９を掃除するのに用いられる。焼網９の棒材９１には、焼いた魚の一部がコゲ等の付着物８になって付着している。この付着物を焼網掃除具１によって掃除して除去する。掃除は、なるべく焼き終わった直後に行うことが好ましい。この段階では付着物が比較的やわらかく、棒材９１への付着度が未だ強固でないため、容易に除去できる。
【００２６】
具体的には、例えば、図２に示すように、焼網９をキッチン台上やグリル内に水平に静置する一方、焼網掃除具１を手（図示省略）で持って、該焼網掃除具１の一端部を、掃除すべき棒材９１とその隣の棒材９１との間の隙間９４に差し入れる。そして、図３に示すように、掃除すべき棒材９１を焼網掃除具１のＴ字状切欠凹部３０に嵌める。このとき、初めから、Ｔ字状切欠凹部３０がちょうど棒材９１と一致するように、焼網掃除具１を焼網９に対して位置合わせする必要はない。つまり、図３（ａ）の実線にて示すように、案内溝部３１の近くの長辺側外縁１１Ａが棒材９１に当たるようにしてもよい。そして、矢印Ａにて示すように、焼網掃除具１を上下にスライドさせれば、図３（ａ）の二点鎖線にて示すように、やがて案内溝部３１が棒材９１と一致して、Ｔ字状切欠凹部３０に棒材９１を簡単に嵌めることができる。もちろん、Ｔ字状切欠凹部３０を初めから棒材９１に位置合わせしたうえで嵌め込んでもよい。案内溝部３１の長辺側外縁１１Ａ側の開口が面取りによって拡開されているため、一層簡単に嵌め込むことができる。
【００２７】
図３（ｂ）に示すように、棒材９１の表側の部分（同図において上側）を掃除するときは、図３（ｂ）の二点鎖線にて示すように、棒材９１を案内溝部３１の奥端に位置させた後、矢印Ｂにて示すように、焼網掃除具１を嵌込溝部３２の延び方向の一側（図３（ｂ）において下方）に向けてスライドさせる。これによって、図３（ｂ）の実線にて示すように、嵌込溝部分３２ａの内周縁が棒材９１の表側の周面に当たる。この状態で、焼網掃除具１を棒材９１の長手方向（図３（ｂ）において紙面と直交する方向）にスライドさせ、嵌込溝部分３２ａの内周縁を棒材９１の表側の周面に摺擦させる。これによって、棒材９１の表側の付着物８（図３において図示省略）を剥ぎ取ることができる。
【００２８】
図３（ｃ）に示すように、棒材９１の裏側の部分（同図において下側）を掃除するときは、矢印Ｃにて示すように、焼網掃除具１を嵌込溝部３２の延び方向の他側（図３（ｃ）において上方）に向けてスライドさせる。これによって、図３（ｃ）の実線にて示すように、嵌込溝部分３２ｂの内周縁が棒材９１の裏側の周面に当たる。この状態で、焼網掃除具１を棒材９１の長手方向（図３（ｃ）において紙面と直交する方向）にスライドさせ、嵌込溝部分３２ｂの内周縁を棒材９１の裏側の周面に摺擦させる。これによって、棒材９１の裏側の付着物８（図示省略）を剥ぎ取ることができる。焼網掃除具１によれば、焼網９を表裏ひっくり返す等して向きを変えなくても、棒材９１を１つのＴ字状切欠凹部３０に嵌め込んだままで、該棒材９１の表側の付着物を除去できるだけでなく裏側の付着物をも除去することができる。焼網９をひっくり返す必要が無いため、焼網９が冷めるまで待たなくてもよく、魚を焼いた直後の、焼網９が熱い段階でも掃除を行なうことができる。そうすることで、コゲ等の付着物８が固まって棒材９１にこびりつく前に、焼網掃除具１にて上記付着物８を棒材９１から簡単に剥ぎ取ることができる。
【００２９】
図４に示すように、焼網掃除具１の半円状切欠凹部２０を使って棒材９１を掃除してもよい。この半円状切欠凹部２０は、棒材９１が比較的太い場合に適している。このとき、上記Ｔ字状切欠凹部３０と同様に、初めから、切欠凹部２０がちょうど棒材９１と一致するように、焼網掃除具１を焼網９に対して位置合わせする必要はない。切欠凹部２０の近くの長辺側外縁１１Ａを棒材９１に当てて、焼網掃除具１をスライドさせることで、切欠凹部２０に棒材９１を嵌めることにしてもよい。切欠凹部２０の長辺側外縁１１Ａ側の開口が拡開されているため、嵌め込み操作を一層簡単に行なうことができる。
【００３０】
図５に示すように、焼網掃除具１の切欠凹部２１を使って棒材９１を掃除してもよい。このとき、上記切欠凹部３０，２０と同様に、初めから、切欠凹部２１がちょうど棒材９１と一致するように、焼網掃除具１を焼網９に対して位置合わせする必要はない。切欠凹部２１の近くの長辺側外縁１１Ｂが棒材９１に当てて、焼網掃除具１をスライドさせることで、切欠凹部２１に棒材９１を嵌めることにしてもよい。切欠凹部２１の長辺側外縁１１Ｂ側の開口が拡開されているため、嵌め込み操作を一層簡単に行なうことができる。
【００３１】
図６に示すように、焼網掃除具１の切欠凹部２２を使って棒材９１を掃除してもよい。この場合、上記切欠凹部３０，２０，２１と同様に、初めから、切欠凹部２２がちょうど棒材９１と一致するように、焼網掃除具１を焼網９に対して位置合わせする必要はない。切欠凹部２２の近くの短辺側外縁１２が棒材９１に当てて、焼網掃除具１をスライドさせることで、切欠凹部２２を棒材９１に嵌めることにしてもよい。切欠凹部２２の短辺側外縁１２側の開口が拡開されているため、嵌め込み操作を一層簡単に行なうことができる。
【００３２】
掃除対象の棒材９１の太さに応じて、切欠凹部２０〜２２，３０の１つを選択するとよい。焼網掃除具１には種々の大きさの切欠凹部２０〜２２，３０が設けられているため、１つの焼網掃除具１で種々の太さの棒材９１を掃除できる。また、図示は省略するが、同様にして、枠材９０に付着物８が付いている場合は、切欠凹部２０〜２２，３０の何れか１つを該枠材９０に嵌め込んで摺擦させることで、該枠材９０の付着物８を剥ぎ取ることができる。枠材９０も登録請求の範囲の「棒材」を構成する。
【００３３】
スロット１３に紐をくくり付け、この紐を台所等の壁フックに掛けたり、スロット１３を上記壁フックに直接通したりすることで、焼網掃除具１をぶら下げた状態で保管できる。そうすると、上記紐又は壁フックのスロット１３との係合部が焼網掃除具１の重心に対して該焼網掃除具１の長手方向の一側に偏ることになる。これによって、焼網掃除具１を鉛直な姿勢で保管できる。
【００３４】
焼網掃除具１の部品点数は、本体１０の１つだけである。したがって、安価に製造できる。また、回転部や変形可能部等が無いため、破損しにくく、長期間使用することができる。
Ｔ字状切欠凹部３０を掃除具本体１０の長辺側外縁１１に設けたことで、嵌込溝部３２の長さを十分に確保でき、かつ掃除具本体１０の幅寸法を十分に小さくできる。
【００３５】
次に、本考案の他の実施形態を説明する。以下の実施形態において、既述の形態と重複する構成に関しては、図面に同一符号を付して説明を省略する。
Ｔ字状切欠凹部３０の形成箇所は、必ずしも長辺側外縁１１に限られない。
図７及び図８は、本考案の第２実施形態を示したものである。図７に示すように、第２実施形態の焼網掃除具１Ａには、Ｔ字状切欠凹部３０が、長辺側外縁１１にではなく、短辺側外縁１２に設けられている。詳細には、２つの短辺側外縁１２にＴ字状切欠凹部３０がそれぞれ形成されている。これら切欠凹部３０，３０は、互いに大きさが異なっている。各切欠凹部３０の案内溝部３１は、焼網掃除具１Ａの長手方向（短辺側外縁１２と交差する方向）に延びている。この案内溝部３１の奥端に嵌込溝部３２が連なっている。嵌込溝部３２は、案内溝部３１と直交（交差）して、焼網掃除具１Ａの幅方向に延びている。
【００３６】
図８（ａ）に示すように、第２実施形態によれば、焼網９を水平に置いた状態で、焼網掃除具１Ａの嵌込溝部分３２ａの内周縁を焼網９の棒材９１の片側（図８（ａ）において右側）の周側部に擦り付けることで、上記片側の周側部を掃除できる。また、図８（ｂ）に示すように、嵌込溝部分３２ｂの内周縁を棒材９１の反対側（図８（ｂ）において左側）の周側部に擦り付けることで、上記反対側の周側部を掃除できる。これによって、棒材９１のほぼ全周を掃除できる。しかも、掃除の際、焼網９を前後左右（水平方向）にさえ動かないように支持しておけばよく、焼網９を上から押さえておく必要は無い。（これに対し、上記第１実施形態のＴ字状切欠凹部３０にて棒材９１を掃除する場合は、少なくとも嵌込溝部分３２ｂの内周縁を棒材９１の裏側（下側）の周側部に擦り付ける際（図３（ｃ））、焼網９が持ち上がらないように、上から焼網９を押さえておく必要がある。）
例えば、焼網９をグリルにセットした状態で掃除することにすれば、上記グリルによって焼網９の前後左右への動きを規制できる。
【００３７】
図９及び図１０は、本考案の第３実施形態を示したものである。図９に示すように、第３実施形態の焼網掃除具１Ｂの各短辺側外縁１２には、十字状の切欠凹部３３が形成されている。この切欠凹部３３は、第２実施形態のＴ字状切欠凹部３０に嵌込溝部分３２ｃを更に追加したものである。嵌込溝部分３２ｃは、案内溝部３１と一直線をなすようにして、嵌込溝部分３２ａ，３２ｂよりも焼網掃除具１Ｂの長手方向の内側へ延びている。案内溝部３１と、３つの嵌込溝部分３２ａ，３２ｂ，３２ｃとによって、切欠凹部３３が全体として十字状になっている。第３実施形態によれば、１つの切欠凹部３３に焼網９の棒材９１を嵌め込み、その切欠凹部３３の３つの嵌込溝部分３２ａ，３２ｂ，３２ｃの何れかの内周縁に棒材９１を摺擦することで、付着物８を除去できる。したがって、付着物８の除去作業を三方向から行なうことができ、付着物８を確実に除去できる。
【００３８】
第３実施形態によれば、焼網９の棒材９１を３方向から掃除できる。すなわち、図１０（ａ）に示すように、焼網掃除具１Ｂの嵌込溝部分３２ａの内周縁を焼網９の棒材９１の片側（図１０（ａ）において右側）の周側部に擦り付けることで、上記片側の周側部を掃除できる。また、図１０（ｂ）に示すように、嵌込溝部分３２ｂの内周縁を棒材９１の反対側（図１０（ｂ）において左側）の周側部に擦り付けることで、上記反対側の周側部を掃除できる。さらに、図１０（ｃ）に示すように、嵌込溝部分３２ｃの内周縁を棒材９１の表側（上側）の周側部に擦り付けることで、上記上側の周側部を掃除できる。これによって、棒材９１の周方向の全体を確実に掃除できる。しかも、第２実施形態と同様に、掃除の際、焼網９を上から押さえておく必要は無い。
【００３９】
本考案は、上記の実施形態に限定されるものではなく、考案の趣旨に反しない限りにおいて種々の改変をなすことができる。
例えば、焼網掃除具１には、切欠凹部２０〜２２，３０のうちの一部だけが設けられていてもよい。
第１〜第３実施形態を互いに組み合わせてもよい。例えば、焼網掃除具１のＴ字状切欠凹部３０を十字状切欠凹部３３に置換してもよい。また、焼網掃除具１Ａ，１Ｂの長辺側外縁１１に切欠凹部２０〜２２を形成してもよい。
切欠凹部が、Ｌ字状になっていてもよい。
焼網掃除具１，１Ａ，１Ｂに柄を設けてもよい。
【産業上の利用可能性】
【００４０】
本考案は、例えば焼網で魚を焼いたときに焼網に付いたコゲ等の付着物を除去するための焼網掃除具して利用可能である。
【符号の説明】
【００４１】
１，１Ａ，１Ｂ  焼網掃除具
１０    掃除具本体
１１    長辺側外縁（長手方向に延びる外縁）
１２    短辺側外縁（短手方向に延びる外縁）
１３    スロット
２０〜２２  半円状又はＵ字状切欠凹部
３０    Ｔ字状切欠凹部
３１    案内溝部
３２    嵌込溝部
３２ａ，３２ｂ，３２ｃ  嵌込溝部分
３３    十字状切欠凹部
９      焼網
９１    棒材
９４    隙間
【図１】
0003182326.tif 000003
【図２】
0003182326.tif 000004
【図３】
0003182326.tif 000005
【図４】
0003182326.tif 000006
【図５】
0003182326.tif 000007
【図６】
0003182326.tif 000008
【図７】
0003182326.tif 000009
【図８】
0003182326.tif 000010
【図９】
0003182326.tif 000011
【図１０】
0003182326.tif 000012